(57)【要約】 【課題】  前記指針式で扇形の表示形態をとるクロノ表示手段２１０が最大表示状態に達して、それ以上の駆動ができない状態であるにもかかわらず前記クロノ駆動手段２００及びクロノ表示手段２１０が作動する為に、無駄な電力を消費していた。【解決手段】  上記課題を解決するために、本発明によるクロノ計測機能付き電子時計は、前記クロノ表示手段２１０が表示可能な最大表示状態では、ユーザーの操作によりクロノ計測手段を初期化した場合にのみ、その後に再度クロノ計測機能を使用できるように構成し、更に、クロノ計測手段を初期化は、前記入力制御手段からの制御信号の制御に基づき前記カウンター回路２２０をリセットすると共に、前記最大表示状態判別手段２３０からの制御信号に基づき前記カウンター回路２２０をリセットするように構成したことを特徴とする。【選択図】      図１
2005300378.tif 000002
【特許請求の範囲】
【請求項１】
基準信号を発生する基準信号発生手段と、該基準信号発手段からの基準信号に基づき時刻信号を発生する時刻信号発生手段と、該時刻信号発生手段からの時刻信号に基づき時刻駆動信号を出力する時刻駆動手段、該時刻駆動手段からの時刻駆動信号に基づき時刻の表示を行う時刻表示手段、ユーザーの操作に基づき制御信号を出力する入力制御手段、前記基準信号発生手段に基づきクロノ信号を発生するクロノ信号発生回路、該クロノ信号と前記入力制御手段からの制御信号に基づきクロノ作動を許可するクロノ制御信号を出力するクロノ制御手段、該クロノ制御手段からのクロノ制御信号に基づきクロノ駆動信号を出力するクロノ駆動手段、該クロノ駆動手段からのクロノ駆動信号に基づきクロノ計測時間の表示を行う指針式で扇形の表示形態をとるクロノ表示手段、前記クロノ計測時間の計数管理を行うクロノ計測手段を有するクロノ計測機能付き電子時計において、前記クロノ表示手段が表示可能な最大表示状態では、ユーザーの操作により前記クロノ計測手段を初期化した場合にのみ、その後に再度クロノ計測機能を使用できるように構成したことを特徴とするクロノ計測機能付き電子時計。
【請求項２】
前記クロノ計測手段は、前記入力制御手段からの制御信号の制御に基づき前記クロノ駆動手段からのクロノ駆動信号をカウントするカウンター回路と、該カウンター回路の出力信号に基づき前記クロノ表示手段が表示可能な最大表示状態となったことを判別する最大表示状態判別手段により構成されることを特徴とする請求項１に記載のクロノ計測機能付き電子時計。
【請求項３】
前記クロノ計測手段を初期化は、前記入力制御手段からの制御信号の制御に基づき前記カウンター回路をリセットすると共に、前記最大表示状態判別手段からの制御信号に基づき前記カウンター回路をリセットするように構成したことを特徴とする請求項２に記載のクロノ計測機能付き電子時計。
【請求項４】
前記クロノ計測手段の初期化を行うときに、同時に前記指針式のクロノ表示手段を機械構造的な駆動制御にて初期位置に移動させるように構成したことを特徴とする請求項１乃至請求項３の何れかに記載のクロノ計測機能付き電子時計。
【発明の詳細な説明】
【技術分野】
【０００１】
本発明は、指針式の扇形の表示であるクロノ表示手段を有する電子時計の消費電力を削減する制御の技術に関する。
【背景技術】
【０００２】
従来より、腕時計用の半導体装置（以下、ＩＣ）の一部には時刻表示手段の他に、付加機能として、クロノグラフ手段を内在しており、そのクロノグラフ手段に基づいて通常時刻とは別に、外部操作部材のスイッチ操作によりユーザが任意の時間を測定可能であり、外部操作部材のスイッチ操作によってクロノ計測機能の計測値をリセットさせる機能を有しており、前記ＩＣのクロノグラフ手段のクロノカウンタをリセットしたり、指針式のクロノ表示手段を機械的な駆動制御にて初期位置に復針させる機構を有するものもある（例えば、特許文献１参照）。また商品のバリエーションを増やすために、クロノグラフの表示手段として、指針が３６０度回転する１時間クロノ表示手段や１２０度の扇型をした３０分クロノ表示手段等がある。
【０００３】
以下に従来の電子時計のシステムブロック図の構成を図２を用いて説明する。図２において、１１０は基準信号発生手段であり、該基準信号発生手段１１０は更に発振回路、分周回路より構成され基準信号を作成している。１２０は前記基準信号発生手段１１０の基準信号に基づき時刻信号を出力する時刻信号発生手段であり、１３０は前記時刻信号発生手段１２０の信号に基づき時刻運針用の信号である時刻駆動信号を出力する時刻駆動手段があり、１４０は時刻表示手段であり、前記時刻駆動信号によってアナログ表示式の指針を駆動して時刻表示を行う。
【０００４】
また、１７０は前記基準信号発生手段１１０の信号に基づきクロノ計測のためのクロノ信号を作成しているクロノ信号発生回路である。更に、クロノグラフ動作の制御を行うために必要な外部操作部材に連動する入力制御手段である第１スイッチ手段５００を有し、前記外部操作部材を１回押すごとにクロノスタート、クロノストップ状態に移行する。また、外部操作部材（クロノスタートストップのための外部操作部材とは別部材）を１回押すごとに連動する入力制御手段である第２スイッチ手段５１０を有し、クロノのリセット操作に際してクロノ機能の初期化を行うものである。前記第１スイッチ手段５００からの信号に基づいて、５２０のインバータ素子（以下、ＩＮＶ）にて、前記第１スイッチ手段５００からの信号が反転され、前記ＩＮＶ５２０にて反転された信号を入力とするクロノ機能の状態であるスタート状態、またはストップ状態を制御するフリップフロップ回路１８８（以下、ＦＦ）によってクロノ計測機能のスタート動作とストップ動作が制御される。更に該ＦＦ１８８の信号状態によって、前記クロノ信号発生回路１７０のクロノ信号を制御するアンド回路により構成されるクロノ制御手段１９０を有する。なお、前記ＦＦ１８８は入力信号の立ち下がり同期して出力信号が切り替わるフリップフロップ回路である。上記の如く、第１スイッチ手段５００と第２スイッチ手段５１０とにより入力制御手段を構成する。
【０００５】
２００はクロノ駆動手段であり、前記クロノ制御手段１９０の信号に基づきクロノ運針パルスであるクロノ駆動信号を出力し、前記クロノ駆動信号によって指針式の扇形の表示形態をとるクロノ表示手段２１０を駆動する。２２０は前記クロノ駆動手段２００の駆動回数をカウントするカウンター回路であり、更に、該カウンター回路２２０の最大表示状態を判別する最大表示判別手段２３０を有する。クロノ計測手段は、該最大表示判別手段２３０と前記該カウンター回路２２０とにより構成される。前記第２スイッチ手段５１０からの信号と、前記最大表示状態判別手段２３０の信号に基づいてクロノを初期化するオア
回路より成るクロノリセット手段５３０をし、該クロノリセット手段５３０の出力信号で前記ＦＦ１８８をリセットする構成となっている。
【０００６】
前記第２スイッチ手段５１０からの信号によるリセットは、クロノ計測機能のクロノリセットを制御するものである。また、前記最大表示状態判別手段２３０の信号によるリセットは、指針式の扇形の表示形態をとる前記クロノ表示手段２１０が最大表示状態に達した場合にクロノ計測機能のクロノ計測動作の停止を制御するものである。この制御によって、前記クロノ表示手段２１０が最大表示状態に達したあとには、クロノ表示手段２１０は、それ以上のクロノ計測は不可能であるので、無駄な消費電力を抑える構成となっている。その構成の作用を説明すると、指針式の扇形の表示形態をとる前記クロノ表示手段２１０が最大表示状態に達した場合に前記ＦＦ１８８がリセットされて、Ｌレベルの前記ＦＦ１８８の制御に基づき前記クロノ制御手段１９０にて前記クロノ信号発生回路１７０からのクロノ信号の出力をさせず、その結果、前記クロノ駆動手段２００あるいはクロノ表示手段２１０での消費電力を削減している。
【０００７】
次に、クロノのスタート動作とストップ動作について説明する。前記第１スイッチ手段５００、及び前記第２スイッチ手段５１０は通常状態においてＬレベルであり、外部操作部材のスイッチ操作によって、前記第１スイッチ手段５００及び前記第２スイッチ手段５１０はＨレベル状態になる。前記外部操作部材のスイッチがオンのときにＨレベルとなり、Ｈレベル（上向きの）のワンショット信号が第１スイッチ手段５００が出力されると、前記ＩＮＶ５２０にて信号よりＬレベル（下向きの）のワンショット信号に反転され、該ＩＮＶ５２０のＬレベル（下向きの）のワンショット信号の立ち下りタイミング（ＨレベルからＬレベルとなるタイミング）に、前記ＦＦ１８８の出力がＨレベル状態になり（従前のＦＦ１８８の出力状態がＬレベルの場合）、前記クロノ信号発生回路１７０のクロノ信号が前記クロノ制御手段１９０より出力されて、前記クロノ駆動手段２００に基づき前記クロノ表示手段２１０にてクロノ表示を行う。更に、外部操作部材のスイッチ操作により前記第１スイッチ手段５００が再度、Ｈレベル（上向きの）のワンショット信号が入力され、前記ＩＮＶ５２０にてＬレベル（下向きの）のワンショット信号に反転されて、該ＩＮＶ５２０の立ち下りタイミング（ＨレベルからＬレベルとなるタイミング）に、前記ＦＦ１８８の出力信号がＨレベルからＬレベル状態となり、前記クロノ信号発生回路１７０のクロノ信号が前記クロノ制御手段１９０にて出力されないため、クロノ表示手段２１０のクロノ計測動作は停止する。
【０００８】
次に、クロノのリセット動作について説明する。外部操作部材のスイッチ操作によって、前記外部操作部材のスイッチがオンのときにＨレベルとなり、Ｈレベル（上向きの）のワンショット信号が第２スイッチ手段５１０が出力され、クロノリセット手段５３０を介して前記ＦＦ１８８はリセットされて出力がＬレベルになり、前記カウンター回路２２０も同様にリセットされ初期化させる。一方、前記最大表示判別手段２３０が最大と判断しＨレベルの信号を出力するとクロノリセット手段５３０を介して前記ＦＦ１８８はリセットされ、出力はＬレベルになり、前記カウンター回路２２０も同様にリセットされ初期化させる。
【０００９】
【特許文献１】特開２００１−２８１３６４号公報（第１−２頁、第２６図）
【発明の開示】
【発明が解決しようとする課題】
【００１０】
上述の従来の指針式で扇形の表示形態をとるクロノ表示手段２１０を有するクロノ計測機能付き電子時計では、一度クロノ計測動作がスタートし前記クロノ表示手段２１０が表示可能な最大表示状態（最大計測時間以降）に達し、指針式の扇形の表示形態をとる前記
クロノ表示手段２１０が最大表示状態に達したことを判別してクロノ計測機能のクロノ計測動作の停止した後、再度入力制御手段である第１スイッチ手段５００からの制御信号が出力されて再スタート操作をした場合に、前記ＦＦ１８８の出力は再びＬレベルからＨレベルとなり、ＦＦ１８８のＨレベルの制御信号に基づき前記クロノ制御手段１９０にて前記クロノ信号発生回路１７０からのクロノ信号を通過させ、その結果、前記クロノ駆動手段２００及びクロノ表示手段２１０は駆動してしまい無駄な電力を消費してしまうという問題であった。即ち、前記指針式で扇形の表示形態をとるクロノ表示手段２１０が最大表示状態に達して、それ以上の駆動ができない状態であるにもかかわらず前記クロノ駆動手段２００及びクロノ表示手段２１０が作動する為に、明らかに無駄な電力の消費が生じて、最終的にクロノ計測機能付き電子時計の電源の電池電圧降下を早め、電源が一次電池の場合には電池寿命を縮めてしまい、電源が二次電池の充電式クロノ計測機能付き電子時計の場合には持続時間が短くなり大きな問題であった。
本発明の目的は上記欠点を解決し、前記指針式で扇形の表示形態をとるクロノ表示手段２１０が最大表示状態に達して、それ以上の駆動ができない状態では、外部操作部材のクロノスタートのスイッチ操作が成されても無駄な電力の消費しないクロノ計測機能付き電子時計を提供することにある。
【課題を解決するための手段】
【００１１】
上記目的を達成するために、本発明は、基準信号を発生する基準信号発生手段と、該基準信号発手段からの基準信号に基づき時刻信号を発生する時刻信号発生手段と、該時刻信号発生手段からの時刻信号に基づき時刻駆動信号を出力する時刻駆動手段、該時刻駆動手段からの時刻駆動信号に基づき時刻の表示を行う時刻表示手段、ユーザーの操作に基づき制御信号を出力する入力制御手段、前記基準信号発生手段に基づきクロノ信号を発生するクロノ信号発生回路、該クロノ信号と前記入力制御手段からの制御信号に基づきクロノ作動を許可するクロノ制御信号を出力するクロノ制御手段、該クロノ制御手段からのクロノ制御信号に基づきクロノ駆動信号を出力するクロノ駆動手段、該クロノ駆動手段からのクロノ駆動信号に基づきクロノ計測時間の表示を行う指針式で扇形の表示形態をとるクロノ表示手段、前記クロノ計測時間の計数管理を行うクロノ計測手段を有するクロノ計測機能付き電子時計において、前記クロノ表示手段が表示可能な最大表示状態では、ユーザーの操作により前記クロノ計測手段を初期化した場合にのみ、その後に再度クロノ計測機能を使用できるように構成したことを特徴とする。
また、前記クロノ計測手段は、前記入力制御手段からの制御信号の制御に基づき前記クロノ駆動手段からのクロノ駆動信号をカウントするカウンター回路と、該カウンター回路の出力信号に基づき前記クロノ表示手段が表示可能な最大表示状態となったことを判別する最大表示状態判別手段により構成されることを特徴とする。
また、前記クロノ計測手段を初期化は、前記入力制御手段からの制御信号の制御に基づき前記カウンター回路をリセットすると共に、前記最大表示状態判別手段からの制御信号に基づき前記カウンター回路をリセットするように構成したことを特徴とする。
また、前記クロノ計測手段の初期化を行うときに、同時に前記指針式のクロノ表示手段を機械的な駆動制御にて初期位置に移動させるように構成したことを特徴とする。
【発明の効果】
【００１２】
クロノ表示手段が表示可能な最大表示状態では、ユーザーのクロノ計測機能のリセット操作によりクロノ計測手段を初期化した場合にのみ、その後に再度クロノ計測機能を使用できるように構成することで、前記指針式で扇形の表示形態をとるクロノ表示手段が最大表示状態に達して、それ以上の駆動ができない状態では、外部操作部材のクロノスタートのスイッチ操作が成されても無駄な電力は消費せず、クロノ計測機能付き電子時計の電源が一次電池の場合には電池寿命を延ばし、電源が二次電池の充電式クロノ計測機能付き電子時計の場合には持続時間を長くできる効果を奏する。
【発明を実施するための最良の形態】
【００１３】
以下図面により本発明の実施の形態を詳述する。図１は本発明に関して指針式で扇形の表示形態をとるクロノ表示手段を有するクロノ計測機能付き電子時計を示すシステムブロック図である。
【実施例１】
【００１４】
本発明のクロノ計測機能付き電子時計は、クロノグラフ機能の表示手段として、指針式で扇形の表示形態をとるものである。以下、段落００１５〜段落００２０までは、図２の従来のクロノ計測機能付き電子時計のシステムブロック図と共通の構成について説明したものであり、同一要素には同一番号が付与されている。
【００１５】
以下に従来の電子時計のシステムブロック図の構成を図２を用いて説明する。図２において、１１０は基準信号発生手段であり、該基準信号発生手段１１０は更に発振回路、分周回路より構成され基準信号を作成している。１２０は前記基準信号発生手段１１０の基準信号に基づき時刻信号を出力する時刻信号発生手段であり、１３０は前記時刻信号発生手段１２０の信号に基づき時刻運針用の信号である時刻駆動信号を出力する時刻駆動手段があり、１４０は時刻表示手段であり、前記時刻駆動信号によってアナログ表示式の指針を駆動して時刻表示を行う。
【００１６】
また、１７０は前記基準信号発生手段１１０の信号に基づきクロノ計測のためのクロノ信号を作成しているクロノ信号発生回路である。更に、クロノグラフ動作の制御を行うために必要な外部操作部材に連動する入力制御手段である第１スイッチ手段５００を有し、前記外部操作部材を１回押すごとにクロノスタート、クロノストップ状態に移行する。また、外部操作部材（クロノスタートストップのための外部操作部材とは別部材）を１回押すごとに連動する入力制御手段である第２スイッチ手段５１０を有し、クロノのリセット操作に際してクロノ機能の初期化を行うものである。前記第１スイッチ手段５００からの信号に基づいて、５２０のインバータ素子（以下、ＩＮＶ）にて、前記第１スイッチ手段５００からの信号が反転され、更に後述するオア回路５７０（以下、ＯＲ５７０）を介して、前記ＩＮＶ５２０にて反転された信号を入力とするフリップフロップ回路１８８（以下、ＦＦ）によってクロノ計測機能のスタート動作とストップ動作が制御される。更に該ＦＦ１８８の信号状態によって、前記クロノ信号発生回路１７０のクロノ信号を制御するアンド回路により構成されるクロノ制御手段１９０を有する。なお、前記ＦＦ１８８は入力信号の立ち下がり同期して出力信号が切り替わるフリップフロップ回路である。上記の如く、第１スイッチ手段５００と第２スイッチ手段５１０とにより入力制御手段を構成する。
【００１７】
２００はクロノ駆動手段であり、前記クロノ制御手段１９０の信号に基づきクロノ運針パルスであるクロノ駆動信号を出力し、前記クロノ駆動信号によって指針式の扇形の表示形態をとるクロノ表示手段２１０を駆動する。２２０は前記クロノ駆動手段２００の駆動回数をカウントするカウンター回路であり、更に、該カウンター回路２２０の最大表示状態を判別する最大表示判別手段２３０を有する。クロノ計測手段は、該最大表示判別手段２３０と前記該カウンター回路２２０とにより構成される。前記第２スイッチ手段５１０からの信号と、前記最大表示状態判別手段２３０の信号に基づいてクロノを初期化するオア回路より成るクロノリセット手段５３０をし、該クロノリセット手段５３０の出力信号で前記ＦＦ１８８をリセットする構成となっている。
【００１８】
前記第２スイッチ手段５１０からの信号によるリセットは、クロノ計測機能のクロノリセットを制御するものである。また、前記最大表示状態判別手段２３０の信号によるリセットは、指針式の扇形の表示形態をとる前記クロノ表示手段２１０が最大表示状態に達した場合にクロノ計測機能のクロノ計測動作の停止を制御するものである。この制御によって
、前記クロノ表示手段２１０が最大表示状態に達したあとには、クロノ表示手段２１０は、それ以上のクロノ計測は不可能であるので、無駄な消費電力を抑える構成となっている。その構成の作用を説明すると、指針式の扇形の表示形態をとる前記クロノ表示手段２１０が最大表示状態に達した場合に前記ＦＦ１８８がリセットされて、Ｌレベルの前記ＦＦ１８８の制御に基づき前記クロノ制御手段１９０にて前記クロノ信号発生回路１７０からのクロノ信号の出力をさせず、その結果、前記クロノ駆動手段２００あるいはクロノ表示手段２１０での消費電力を削減している。
【００１９】
次に、クロノのスタート動作とストップ動作について説明する。前記第１スイッチ手段５００、及び前記第２スイッチ手段５１０は通常状態においてＬレベルであり、外部操作部材のスイッチ操作によって、前記第１スイッチ手段５００及び前記第２スイッチ手段５１０はＨレベル状態になる。前記外部操作部材のスイッチがオンのときにＨレベルとなり、Ｈレベル（上向きの）のワンショット信号が第１スイッチ手段５００が出力されると、前記ＩＮＶ５２０にて信号よりＬレベル（下向きの）のワンショット信号に反転され、該ＩＮＶ５２０のＬレベル（下向きの）のワンショット信号の立ち下りタイミング（ＨレベルからＬレベルとなるタイミング）に、前記ＦＦ１８８の出力がＨレベル状態になり（従前のＦＦ１８８の出力状態がＬレベルの場合）、前記クロノ信号発生回路１７０のクロノ信号が前記クロノ制御手段１９０より出力されて、前記クロノ駆動手段２００に基づき前記クロノ表示手段２１０にてクロノ表示を行う。更に、外部操作部材のスイッチ操作により前記第１スイッチ手段５００が再度、Ｈレベル（上向きの）のワンショット信号が入力され、前記ＩＮＶ５２０にてＬレベル（下向きの）のワンショット信号に反転されて、該ＩＮＶ５２０の立ち下りタイミング（ＨレベルからＬレベルとなるタイミング）に、前記ＦＦ１８８の出力信号がＨレベルからＬレベル状態となり、前記クロノ信号発生回路１７０のクロノ信号が前記クロノ制御手段１９０にて出力されないため、クロノ表示手段２１０のクロノ計測動作は停止する。
【００２０】
次に、クロノのリセット動作について説明する。外部操作部材のスイッチ操作によって、前記外部操作部材のスイッチがオンのときにＨレベルとなり、Ｈレベル（上向きの）のワンショット信号が第２スイッチ手段５１０が出力され、クロノリセット手段５３０を介して前記ＦＦ１８８はリセットされて出力がＬレベルになり、前記カウンター回路２２０も同様にリセットされ初期化させる。一方、前記最大表示判別手段２３０が最大と判断しＨレベルの信号を出力するとクロノリセット手段５３０を介して前記ＦＦ１８８はリセットされ、出力はＬレベルになり、前記カウンター回路２２０も同様にリセットされ初期化させる。
【００２１】
さて、次に、本発明の回路システムの制御技術の構成の主要部について説明する。
５５０、５６０はナンド回路（以下、ＮＡＮＤ）であり、ＮＡＮＤ５５０、ＮＡＮＤ５６０によりナンドラッチ回路部５５０、５６０を構成している。５４０はインバータ素子（以下、ＩＮＶ）であり、前記最大表示判別手段２３０からの信号が入力され、ＩＮＶ５４０の出力信号はナンドラッチ回路部５５０、５６０のＮＡＮＤ５５０に入力されている。５８０はインバータ素子（以下、ＩＮＶ）であり、前記第２スイッチ手段５１０からの信号が入力されている。前記ナンドラッチ回路部５５０、５６０のもう一方の入力であるＮＡＮＤ５６０の入力には前記ＩＮＶ５８０の出力信号が入力されている。５７０は、オア回路（以下、ＯＲ）であり、前記ＩＮＶ５２０の出力信号と、前記ナンドラッチ回路部５５０、５６０のＮＡＮＤ５５０の出力信号とが入力されている。
【００２２】
次に、本発明の回路システムの制御技術の主要部の動作を説明する。
具体的には、扇形の表示形態をとるクロノ表示手段２１０を有する本発明のクロノ計測機能付き電子時計では、一度クロノ計測動作がスタートし前記クロノ表示手段２１０が表示可能な最大表示状態（最大計測時間以降）に達したとき、指針式の扇形の表示形態をと
る前記クロノ表示手段２１０が最大表示状態であることを判別してクロノ計測機能のクロノ計測動作を停止した後、再度入力制御手段である第１スイッチ手段５００からの制御信号が出力されて再スタート場合の動作について説明する。
【００２３】
この状態で、再スタート操作を行い第１スイッチ手段５００からの制御信号が出力しても、前記最大表示状態に達したことを判別した最大表示判別手段２３０からのＨレベルの信号が、ＩＮＶ５４０にて反転してＬレベルの信号が前記ナンドラッチ回路部５５０、５６０のＮＡＮＤ５５０に入力されている。そのことで、ナンドラッチ回路部５５０、５６０のＮＡＮＤ５５０の出力がＨレベルにラッチされるので、前記ＯＲ５７０では第１スイッチ手段５００からの制御信号の反転信号の前記ＩＮＶ５２０からの信号は通さず、従って、この状態では外部操作部材によるスタート操作は不感で、クロノ計測動作が再スタートせず、前記クロノ駆動手段２００及びクロノ表示手段２１０は駆動しないため無駄な電力を消費しない。
【００２４】
この状態で、リセット操作（クロノ計測機能を初期化操作）を行うと前記第２スイッチ手段５１０からのＨレベルの制御信号が、ＩＮＶ５８０にて反転してＬレベルの信号となり、前記ナンドラッチ回路部５５０、５６０のＮＡＮＤ５６０に入力されて、前記ナンドラッチ回路部５５０、５６０のＮＡＮＤ５５０にてラッチされていたＨレベルの出力がＬレベルに切り変わる。その理由を詳述すると、この状態では、前記カウンター回路２２０がリセットされており最大表示判別手段２３０の出力はＬレベルとなっており、ＩＮＶ５４０にて反転してＨレベルの信号が前記ナンドラッチ回路部５５０、５６０のＮＡＮＤ５５０に入力されているので、ＩＮＶ５８０のＬレベルの出力信号に基づきＮＡＮＤ５６０の出力のＨレベルなので、ＮＡＮＤ５５０の出力がＬレベルに切り変わる。その結果、それ以降の再スタート操作では、勿論、クロノはスタートし、クロノ計測機能は動作する。
【００２５】
以上説明した如く、クロノ表示手段が表示可能な最大表示状態では、ユーザーの操作によりクロノ計測手段を初期化した場合にのみ、その後に再度クロノ計測機能を使用できるように構成することで、前記指針式で扇形の表示形態をとるクロノ表示手段が最大表示状態に達して、それ以上の駆動ができない状態では、外部操作部材のクロノスタートのスイッチ操作が成されても無駄な電力の消費せず、クロノ計測機能付き電子時計の電源が一次電池の場合には電池寿命を延ばし、電源が二次電池の充電式クロノ計測機能付き電子時計の場合には持続時間を長くできる。
【００２６】
次に、図３〜図８、図１１を用いて前記指針式のクロノ表示手段２１０を機械的な駆動制御にて初期位置（クロノのリセット位置）に移動させる具体的な構造について説明する。なお、図１での指針式の扇形の表示形態をとる前記クロノ表示手段２１０は、以下の図では具体的には分クロノグラフ針４ｄであり、外部操作部材によるクロノのリセット操作によって分クロノグラフ針４ｄをクロノのリセット位置であるゼロ分位置に機械的な駆動制御にて移動すると共に、クロノのリセット操作によって図１の第２スイッチ手段５１０から制御信号が出力され、前述の回路システムの制御動作も行われる。
図３〜図８、図１１は、本発明の第一の実施形態を示すクロノ計測機能付き電子時計とその時計ムーブメントの概略図で、図３、図１１はクロノ計測機能付き電子時計の平面図、図４は図３のクロノ計測機能付き電子時計の時計ムーブメントを裏蓋側から見た時の時計ムーブメントの要部平面図であって、クロノグラフが作動していない状態を示し、図５は図４の分クロノグラフ車周辺の断面高さの関係を示す概略部分断面図、図６は図４の時計ムーブメントにおいてクロノグラフ針が最大計測時間まで作動した状態を示す時計ムーブメントの要部平面図、図７は図４の時計ムーブメントにおいて衝撃等によってクロノグラフ針がオーバーランした状態を示す時計ムーブメントの要部平面図、図８は、図４、図６および図７に示した時計ムーブメントの要部拡大図で、（ａ）はクロノグラフの停止状態、（ｂ）はクロノグラフの最大計測時間での状態、（ｃ）はクロノグラフがオーバーラ
ンした状態を示す。
【００２７】
以下、図を用いて従来のアナログクロノグラフ時計の時計ムーブメントの構造を説明する。図１１は従来のアナログクロノグラフ時計の時計ムーブメントを裏蓋側から見た要部平面図である。図１１において、１は時計ムーブメント１００の母材であり、輪列や図示しない巻真修正機構、モータなど、時計ムーブメント１００の構成部品の保持を行う板状部品である地板、２ａ及び２ｂはユーザが時計を操作する部材であるプッシュボタン、３は６０秒で１周し、１秒単位の計測時間を表示する、図示しない秒クロノグラフ針を駆動する秒クロノグラフ車、４は１分単位のクロノグラフ計測時間を表示する、図示しない分クロノグラフ針を駆動する分クロノグラフ車、４ａは分クロノグラフ針が圧入固定されている分クロノグラフ車軸、４ｂは分クロノグラフ車軸４ａに圧入固定されているハートカム、５は秒クロノグラフ車３の回転を減速して、駆動力を分クロノグラフ車４へ伝達するクロノグラフ中間車、６は秒クロノグラフ車３、分クロノグラフ車４、クロノグラフ中間車５に代表される指針駆動用の輪列群を、地板１と挟持して保持する板状部品である輪列受、７は図示しないＩＣや水晶振動子などが実装されている回路基板、１８は分クロノグラフ車４の動きを規制し、プッシュボタン２ａ及び２ｂの操作により作動する部品である帰零レバー、９はプッシュボタン２ｂの動きにより分クロノグラフ車４を帰零させる部品である復針レバー、１０は帰零レバー１８や復針レバー９、回路ブロック７を押圧保持するプラスチックからなる図示しない回路支持台を、地板１と挟持する事により保持する板状部品であるクロノグラフ押えである。
【００２８】
図１１に示すアナログクロノグラフ時計の時計ムーブメントは、そのクロノグラフ機構として、時計中心に秒クロノグラフ針、文字板側から見て１０時位置に分クロノグラフ針を配置し、秒及び分の計測時間をそれぞれ別の２つの針で表示可能な仕様となっている。また、秒クロノグラフ車３は図示しないクロノグラフモータにより駆動され、クロノグラフ中間車５を介して分クロノグラフ車４と繋がっている為、クロノグラフの秒の計測時間と分の計測時間が連動する構造となっている。
【００２９】
以下、図１１に示すアナログクロノグラフ時計の作動の概略について簡単に説明する。
【００３０】
図１１において、クロノグラフ計測機能が作動していない状態では、帰零レバー１８は１８０の位置にあり、その先端部１８ａは、所定のたわみをもって、所定の荷重でハートカム４ｂを押圧している。これにより、クロノグラフ計測機能が作動していない状態で、分クロノグラフ針が動いてしまわないように固定している。ここで、クロノグラフ押え１０には、節度部１０ｃが一体成形されており、節度部１０ｃが帰零レバー１８に圧入固定されたピン１８ｂに所定のたわみをもって側圧をかける事により、帰零レバー１８を１８０の位置で固定している。また、復針レバー９は、レバー本体に圧入固定された復針レバーピン９ａによって帰零レバー１８との相対位置関係が決まり、その位置は９０の状態である。この場合、プッシュボタン２ｂと所定の平面隙があるため、プッシュボタン２ｂを押してもクロノグラフは何ら動作しない。
【００３１】
図１１において、プッシュボタン２ａを押せば、クロノグラフでの計測がスタートする。まずプッシュボタン２ａを押すと、プッシュボタン２ａは、クロノグラフ押え１０に一体成形された接点バネ部１０ａを介して帰零レバー１８の力点１８ｃを押す。帰零レバー１８は、地板１に圧入固定された帰零レバー軸１ａを中心に反時計回りに回動し、１８１の位置へ移動する事により、その先端部１８ａがハートカム４ｂへの押圧を解除する。また、接点バネ部１０ａは、その先端部が回路基板７に形成されたサイドスルーホール７ａに当接する事によって、図示しないＩＣへの計測開始信号が入力され、図示しないモータを駆動する事によって秒クロノグラフ車３及び分クロノグラフ車４が回転し、クロノグラフの計測が開始される。また、復針レバー９は、地板１に圧入固定された復針レバー軸１
ｂを中心に回動する。復針レバー９は、復針レバーピン９ａによって帰零レバー１８と連動しており、帰零レバーが１８０の位置から１８１の位置へ移動するのに伴い、９０の位置から９１の位置へと移動する。
【００３２】
ここで、帰零レバー１８は、プッシュボタン２ａの操作により１８０の位置から１８１の位置へ移動する際に、節度部１０ｃの山形形状を乗り越える。この乗り越え動作により、プッシュボタンを押した際に所定の節度感が生じ、操作性の向上及び誤操作の防止の役割を担っている。
【００３３】
以上のように各部品が作動する事によりクロノグラフの計測が開始されるが、クロノグラフ計測中は、秒クロノグラフ車３及び分クロノグラフ車４は、図示しないクロノグラフモータの構成部品であるロータの保持トルクだけによって保持されている。
【００３４】
次に帰零構造について説明する。復針レバーはクロノグラフ計測中、９１の位置にある。まずプッシュボタン２ｂを押すと、プッシュボタン２ｂは、クロノグラフ押え１０に一体成形された接点バネ部１０ｂを介して復針レバー９の力点９ｂを押す。復針レバー９は復針レバー軸１ｂを中心に反時計回りに回動し、９１の位置から９０の位置へ移動する。帰零レバー１８は、復針レバーピン９ａを介して復針レバー９と連動している為、復針レバー９の位置が９１から９０へ移動するのに伴い、１８１の位置から１８０の位置へと移動する。帰零レバー１８は、１８１の位置から１８０の位置へ移動する途中で、計測時間によって任意の位置にあるハートカム４ｂを先端部１８ａによって押圧し、ハートカム４ｂが圧入固定された分クロノグラフ車軸４ａを帰零させる。また、接点バネ１０ｂは、その先端部が回路基板７に形成されたサイドスルーホール７ｂに当接する事によって、図示しないＩＣへのリセット信号が入力され、図示しないモータを駆動する事によって秒クロノグラフ車３が回転して正秒位置へと帰零させる。
【００３５】
ここで、ハートカム４ｂは、帰零レバー１８によってどちらの方向から押されるかによって帰零する方向が異なる。図１１に示す例の場合は、分クロノグラフ車４は６０分で一周する６０分計である為、目安としてハートカム４ｂの回転角度が１８０°未満の場合、即ち計測時間が０分から３０分までは逆転方向で帰零する。また、計測時間が３０分から６０分までの間は、正転方向で帰零する。
【００３６】
また、分クロノグラフ車４は、分クロノグラフ歯車４ｃと分クロノグラフ軸４ａがスリップする機構を有しており、互いの位相を任意に変更する事が可能である。これにより、帰零操作の際は、分クロノグラフ車軸４ａは、係合したハートカム４ｂの動きに連動してレバーにより帰零し、分クロノグラフ歯車４ｃは秒クロノグラフ車３に連動する事により、秒クロノグラフ車３及び分クロノグラフ車４を別々に帰零させる事が可能となる。
【００３７】
このような、ハートカムを利用したクロノグラフの帰零構造に関しては、従来より様々な仕様が考案、或いは実用化されており、広く知られる所である。
【００３８】
図３に示すように本発明のクロノ計測機能付き電子時計は、カレンダー付のアナログタイプのクオーツクロノグラフムーブメントを使用しており、通常時刻を示す時針、分針、秒針といった時刻を示す指針の他に、時計の中心部に１秒単位で時間計測が可能な秒クロノグラフ針３ｂ、１０時位置に最大３０分まで時間計測が可能な分クロノグラフ針４ｄ（図１では、指針式の扇形の表示形態をとる前記クロノ表示手段２１０）を有している。なお、本実施例では、分クロノグラフ針４ｄは最大３０分まで計測可能であり、その表示範囲は図３に示す如く、計測開始時の分クロノグラフ針４ｄの位置と最大計測時間経過時の分クロノグラフ針４ｄの位置の角度差は１８０度であり、１８０度の扇形の表示範囲の例を示した。
【００３９】
なお、秒クロノグラフ針３ｂ以外の時計の中心部の２本の指針は現在時刻を示す時分針、６時位置の小指針は１秒単位で運針して現在秒を示す小秒針、２時位置の小指針は現在時刻を表示する２４時間針であるが、本発明には直接関連しないので詳細な説明は省略する。
【００４０】
図３及び図４において、１は時計ムーブメント２０の母材であり、輪列や図示しない巻真修正機構、モータなど、時計ムーブメント２０の構成部品の保持を行う板状部品である地板、２ａ及び２ｂはユーザが時計を操作する部材であるプッシュボタン、３は６０秒で１周し、１秒単位の計測時間を表示する秒クロノグラフ針３ｂを駆動する秒クロノグラフ車、４は１分単位のクロノグラフ計測時間の計測結果を前記扇形の表示範囲内で表示する分クロノグラフ針４ｄを駆動する分クロノグラフ車、４ａは分クロノグラフ針４ｄが圧入固定される分クロノグラフ車軸、４ｂは計測時間を表示する輪列の一部である分クロノグラフ車４の分クロノグラフ車軸４ａに圧入固定されたハートカム、５は秒クロノグラフ車３の回転を減速して駆動力を分クロノグラフ車４へ伝達するクロノグラフ中間車、６は秒クロノグラフ車３、分クロノグラフ車４、クロノグラフ中間車５に代表される指針駆動用の輪列群を、地板１と挟持して保持する板状部品である輪列受である。
【００４１】
７は図示しないＩＣや水晶振動子などが実装されている回路基板、８は分クロノグラフ車４の動きを規制し、分クロノグラフ針４ｄを帰零させるためにハートカム４ｂに所定の回転を与える帰零レバー、２ａ及び２ｂは帰零レバーを作動させる外部操作部材であるプッシュボタン、９はプッシュボタン２ｂの動きにより分クロノグラフ針４ｄを帰零させる部品である復針レバー、１０は帰零レバー８や復針レバー９、回路ブロック７を押圧保持するプラスチックからなる図示しない回路支持台を、地板１と挟持する事により保持する板状部品であるクロノグラフ押えである。なお、その他、図１１と同一構成部品に関しては同一番号を付して、その説明を省略する。
【００４２】
図３及び図４において、秒クロノグラフ針３ｂは、秒クロノグラフ車３に圧入固定されており、図示しないクロノグラフモータによって駆動される。また、分クロノグラフ針４ｄは、分クロノグラフ車４の軸４ａに圧入固定されており、クロノグラフ中間車５により秒クロノグラフ車３と連動する。これにより、クロノグラフ計測時は、秒クロノグラフ針３ｂは１秒単位、分クロノグラフ針４ｄは１分単位で計測時間を表示し、双方の針３ｂ、４ｄは連動して動くようになっている。
【００４３】
また、本実施例のクロノ計測機能付き電子時計の時計ムーブメント２０は、図示しないＩＣに、クロノグラフの計測時間を計数するタイマーを有しており、最大計測時間の３０分が経過した時点で、図示しないクロノグラフモータの駆動を停止させる。これにより、クロノグラフ針３ｂ、４ｄは３０分で自動的に停止する。
【００４４】
また、ハートカム４ｂは分クロノグラフ車軸４ａに圧入固定されているが、ハートカム４ｂの部品自体は正転可能な形状をしており、図１１に示す従来例のクロノ計測機能付き電子時計の時計ムーブメントと同一の部品を共通使用している。
【００４５】
図４において、帰零レバー８の先端部８ａには、図１１に示した従来例とは異なり、ハートカム４ｂの回転方向を規制する凸部８ｄが設けられている。図４は図３の時計を裏蓋側から見た図である為、分クロノグラフ車４は図４では左回り（反時計回り）に駆動するが、帰零レバー８の凸部８ｄは、ハートカム４ｂを、いわば抱え込んで逆転帰零させるような凸形状となっている。
【００４６】
即ち、最大計測時間の３０分が経過した時点で図示しないＩＣからの駆動信号を停止す
る事によりクロノグラフの計測を終了するが、この場合のハートカム４ｂは、図４に示す位置から図６に示す位置（図８（ｂ）に示す位置から図８（ａ）に示す位置）までの１８０°回転した位置まで移動している。ここで、帰零のためにプッシュボタン２ｂを押すと、プッシュボタン２ｂは、接点バネ１０ｂを介して復針レバー９の突出部９ｂを押す。これにより復針レバー９は、復針レバー軸１ｂを介して回転し、復針レバーピン９ａによって帰零レバー８を回転させる。
【００４７】
この時、帰零レバー８の先端部８ａがハートカム４ｂを押す事により分クロノグラフ車４を帰零させるのだが、先端部８ａが図１１に示す従来例のようなストレート形状だと、互いの部品の加工精度や部品の位置精度などの影響で、ハートカム４ｂの頂点の左右のどちら側から押されるかが不明であり、ハートカム４ｂを正転方向で帰零させる場合も生じる。これに対して本発明では、図６（あるいは図８（ｂ））に示す如く、帰零レバー８の先端部８ａに形成した凸部８ｄが、ハートカム４ｂの正転帰零方向を妨害する方向に突出している為、ハートカム４ｂを必ず図８（ｂ）で示す右回り、即ち指針を逆転方向４０に帰零させる事が可能となる。これにより、確実にハートカム４ｂを逆転帰零させる事が可能となる。
【００４８】
本実施例のアナログロノグラフ時計では、基本的には最大計測時間になると図示しないＩＣが図示しないクロノグラフモータの駆動を停止させる事によりクロノグラフの計測を終了させる構造となっているが、クロノグラフの作動中は前述したように、クロノグラフモータのロータの保持トルクのみで保持されている。従って、クロノグラフの作動中に落下等の衝撃により、ロータの保持トルク以上の強い衝撃力が加わった場合は、指針がずれてしまう可能性がある。これらの極めて強い衝撃により、分クロノグラフ針４ｄのずれ量が、帰零レバー８がハートカム４ｂを逆転帰零させる限界を超えてしまった場合は、前述したように帰零レバー８に凸部８ｄを形成しても、ハートカム４ｂを正転方向に押して帰零させてしまう危険性もある。また、最悪の場合はハートカム４ｂを分クロノグラフ車４の中心軸方向へ押してしまい、ハートカム４ｂが正転帰零も逆転帰零する事もできずにその場でロックして止まってしまう危険性もある。
【００４９】
これに対して本発明では、図４および図５に示す如く、秒クロノグラフ車３、分クロノグラフ車４、クロノグラフ中間車５に代表される輪列群を軸支する板状部品である輪列受６に穴６ａを形成し、この穴６ａにハートカム４ｂの回転角度を規制するハートカム回転規制部１６ｂを有する規制ピン１６を圧入固定し、ハートカム４ｂと所定の断面隙をもって配置される輪列受６を規制部材として兼用しているのが特徴である。ハートカム回転規制部１６ｂを構成する規制ピン１６は、金属材料で形成されており、図５に示す如く、段付形状をしており、押込み作業の安定化に寄与している。
【００５０】
また、規制ピン１６のハートカム回転規制部１６ｂは、図５に示す如く、ハートカム４ｂと断面的にオーバーラップする位置に配置しているのが特徴である。即ち、衝撃が加わってハートカム４ｂが正転方向にずれた場合も、ハートカム回転規制部１６ｂによってハートカム４ｂを規制して停止させる事により、限界以上にハートカム４ｂがずれるのを防止することができる。
【００５１】
その詳細を以下に説明する。輪列受６には、図８（ａ）に示すように、クロノグラフが作動していない状態では、圧入固定したハートカム回転規制部１６ｂの最外周部が、ハートカム４ｂと所定の平面隙１１ａを確保する位置に穴６ａが形成され、規制ピン１６が圧入固定されている。従って、平面隙１１ａが確保されている為、規制ピン１６の影響を受けないからハートカム４ｂの位相は、必ず帰零レバー８の先端部８ａの初期たわみによって位置決めされる事となる。また、図８（ｂ）に示すように、クロノグラフ計測開始後、最大計測時間を経過してクロノグラフが停止した場合も、ハートカム４ｂとハートカム回
転規制部１６ｂの間には、所定の平面隙１１ｂが確保されている。
【００５２】
このように、ハートカム４ｂとハートカム回転規制部１６ｂの間に平面隙１１ａ及び１１ｂを確保する事で、各部品の加工誤差や輪列受６と分クロノグラフ車軸４ａの軸ガタなどによるハートカム４ｂの位置誤差を吸収している。即ち、このハートカム回転規制部１６ｂは、万が一衝撃などにより分クロノグラフ車４が位置ずれを起こした際の保険の意味合いであり、通常のクロノグラフ使用時は、帰零レバー８によってハートカム４ｂの位置を決定する事が望ましい。
【００５３】
この平面隙１１ａ及び１１ｂが確保されない構造、クロノグラフ作動時に常にハートカム４ｂがハートカム回転規制部１６ｂに接触する構造も、原理としては可能である。但し、突発的な衝撃等を受けない通常のクロノグラフ使用時にも、帰零動作の際にはハートカム４ｂは必ずハートカム回転規制部１６ｂに衝突して停止するため、帰零動作の繰り返しによってハートカム４ｂまたはハートカム回転規制部１６ｂが摩耗して帰零動作が不安定となる危険性がある。また、大衝撃を受けた場合にハートカム回転規制部１６ｂが圧入固定した輪列受から抜けたりする恐れもある。
【００５４】
また、輪列受６の穴６ａの位置精度、ハートカム回転規制部１６ｂの直径の精度が狂うと、クロノグラフの最大計測時間が経過する前にハートカム４ｂがハートカム回転規制部１６ｂに接触してしまい、それ以上の計測が不可能となる場合もある。即ち、本製品の例で述べると、最大計測時間の３０分を経過する前に分クロノグラフ針４ｄが扇形の目盛の途中、例えば２９分の前後で停止してしまう可能性があるなど、製品としての基本的な機能を阻害する可能性もある。これらの理由により、ハートカム４ｂとハートカム回転規制部１６ｂとの平面隙１１ａ及び１１ｂは、各構成部品の加工誤差の吸収及び作動の安定性を考慮すると、必ず確保する必要がある。
【００５５】
次に、クロノグラフ作動中に衝撃が加わり、ハートカム４ｂが正転方向にずれてしまった場合の概略を図７および図８（ｃ）に示す。この場合、分クロノグラフ車４が正転方向にずれるため、分クロノグラフ車軸４ａに圧入固定されたハートカム４ｂは衝撃により正転方向にオーバーランしてしまっているが、ここでハートカム４ｂが規制ピン１６のハートカム回転規制部１６ｂによって規制され、これ以上分クロノグラフ車４が過回転する事を防止している。これにより、分クロノグラフ車４はこれ以上回転せず、その場で停止した状態となる。この状態でプッシュボタン２ｂを押すと、復針レバー９を介して帰零レバー８が作動し、ハートカム４ｂを帰零させる動作を行う。ここで、ハートカム４ｂは、帰零レバー８の先端の凸部８ｄによって逆転方向４０に力がかけられる為、確実に逆転帰零させる事が可能である。
【００５６】
なお、落下等の衝撃が加わることによりハートカム４ｂが回転し、前記ハートカム４ｂと前記ハートカム回転規制部１６ｂとが衝突しても、前記ハートカム回転規制部１６ｂが金属材料で形成されているため、変形や破損が発生することはない。
【００５７】
また、本実施例では、計測開始時の分クロノグラフ針４ｄの位置と最大計測時間経過時の分クロノグラフ針４ｄの位置の角度差は１８０度としたが、１８０度以下にすれば、ハートカム回転規制部１６ｂによって規制されるハートカム４ｂの停止範囲も最大でも略１８０度に設定できる為、衝撃等によって分クロノグラフ針４ｄ、即ちハートカム４ｂの位相がずれてしまった場合でも、帰零レバー８の先端の凸部８ｄによって逆転方向４０にハートカム４ｂを確実に帰零させることができるため、前記角度差は１８０度以下が望ましい。
【００５８】
実際には、ハートカム４ｂ自身が正転帰零可能な形状である以上、帰零レバー８の先端
に凸部８ｄを形成しても、ハートカム４ｂが逆転でなく正転で帰零するポイントは存在する。しかしながら、ハートカム４ｂが正転で帰零するポイントまで回転する前にハートカム回転規制部１６ｂによって規制されるため、製品として正転で帰零する事はない。なお、本実施例の輪列受６は、他のクロノ計測機能付き電子時計の時計ムーブメントで使用している輪列受６に穴６ａを追加した形状となっている。
【００５９】
図１１は、本発明のクロノ計測機能付き電子時計の時計ムーブメントの輪列受６を共通使用した他のクロノ計測機能付き電子時計の時計ムーブメントを裏蓋側から見た要部平面図を示す。ここで、輪列受６は、別部品として構成したハートカム回転規制部６ｂを有する規制ピン１６を穴６ａから削除した以外は、外周形状、保持する輪列６の穴６ａ位置などを含め、全く共通の形状をしている。図９の時計ムーブメントは、クロノグラフの最大計測時間が６０分であり、分クロノグラフ車４は６０分で一周する。即ち、従来例である図１１に示したクロノ計測機能付き電子時計と同じく、ハートカム４ｂの位置によっては、分クロノグラフ車４は正転で帰零する場合もあり、その目安範囲は３１分から５９分までとなっている。
【００６０】
従って、正転で帰零する場合がある為、ハートカム回転規制部６ｂを有する規制ピン１６は配置しない形となっているが、輪列受６の部品そのものは穴６ａがあいた状態で使用可能であり、部品の共通化が図れている。これにより、新規で金型を起こしたり、共通の金型で穴６ａの抜き加工の有無によって部品を非共通使用する事なく、最小の初期投資で複数仕様のアナログクロノグラフムーブメントを生産可能となり、その効果は極めて大きい。
以上説明した如く、外部操作部材のクロノリセット操作によって、前記クロノ計測手段であるカウンター回路２２０の初期化を行うときに、同時に前記指針式のクロノ表示手段２１０である扇形の表示形態をとる分クロノグラフ針４ｄを機械的な駆動制御にて初期位置（クロノのリセット位置であるゼロ分位置）に移動される。
【実施例２】
【００６１】
以下、本発明の実施例２を図面に基づいて詳述する。図１０は、本発明を適用した第二の実施形態であるクロノ計測機能付き電子時計の時計ムーブメント３０の、分クロノグラフ車４周辺の要部断面図である。
【００６２】
図１０において、ハートカム４ｂは、輪列受６に対して分クロノグラフ歯車４ｃを挟んだ位置に配置されている。この場合、実施例１（図３〜図９）の如く、輪列受６にハートカム回転規制部１６ｂを構成する規制ピン１６を追加する事は不可能であるが、ハートカム４ｂに隣接する、時計ムーブメントを構成する保持部材であり、樹脂製の成形部品である回路支持台１２に、ハートカム回転規制部１２ａを構成する規制ピン１６を圧入固定し、回路支持台１２を規制部材として兼用しているのが特徴である。
【００６３】
これにより、輪列受６でなくとも、ハートカム４ｂと断面的に重なる位置にハートカム回転規制部１２ａを配置する事が可能となり、実施例１（図３〜図９）と同様の効果を得る事ができる。なお、動作に関しては実施例１（図３〜図９）と同様であり、詳細な動作説明は省略する。
【００６４】
ここで、回路支持台は高分子樹脂による射出成形によって形成する為、ハートカム回転規制部１２ａは、回路支持台１２と一体化した形状として成形する事も可能である。しかしながらハートカム回転規制部１２ａは、使用時に衝撃を受けた場合にハートカム４ｂのオーバーランを防止する為の形状であり、衝撃による破壊や変形が生じる恐れがある事から、回転規制部１６ｂを構成する規制ピン１６の材質は金属である事が望ましい。即ち、実施例２の如く、規制部を高分子樹脂品で形成する場合も、金属製の別部品を圧入固定す
る構造とした方が耐衝撃面では安全と言える。
【００６５】
本発明によって、アナログクロノグラフムーブメントのうち、最も加工が難しいハートカムは既存の部品を共通使用しつつ、クロノグラフのスタート時の針位置と最大計測時間の針位置が異なる、レトログラード調の扇針表示仕様の製品において、クロノグラフ針を確実に逆転帰零させる構造を簡便な方法で実現可能となる。
【００６６】
以上説明した如く、外部操作部材のクロノリセット操作によって、前記クロノ計測手段であるカウンター回路２２０の初期化を行うときに、同時に前記指針式のクロノ表示手段２１０である扇形の表示形態をとる分クロノグラフ針４ｄを機械的な駆動制御にて初期位置（クロノのリセット位置であるゼロ分位置）に移動される。
【００６７】
以上、本発明の実施形態を説明したが、本発明は上記内容に限定されるものではなく、例えばサッカータイマーなど最大計測時間が４５分の製品や、バスケットボールタイマーなど、最大計測時間が１０分の製品にも適用可能であり、その応用範囲は極めて広いと言える。
【図面の簡単な説明】
【００６８】
【図１】本発明のクロノ計測機能付き電子時計のシステムブロック図である。
【図２】従来のクロノ計測機能付き電子時計のシステムブロック図である。
【図３】本発明の第一の実施形態を示すクロノ計測機能付き電子時計の平面図である。
【図４】図３のクロノ計測機能付き電子時計の時計ムーブメントを裏蓋側から見た時の時計ムーブメントの要部平面図である。
【図５】図４の分クロノグラフ車周辺の断面高さの関係を示す概略部分断面図である。
【図６】図４の時計ムーブメントにおいてクロノグラフ針が最大計測時間まで作動した状態を示す時計ムーブメントの要部平面図である。
【図７】図４の時計ムーブメントにおいて衝撃等によってクロノグラフ針がオーバーランした状態を示す時計ムーブメントの要部平面図である。
【図８】図４、図６および図７に示した時計ムーブメントの要部拡大図で、（ａ）はクロノグラフの停止状態、（ｂ）はクロノグラフの最大計測時間での状態、（ｃ）はクロノグラフがオーバーランした状態を示す。
【図９】本発明のクロノ計測機能付き電子時計の時計ムーブメントの輪列受６を共通使用した他のクロノ計測機能付き電子時計の時計ムーブメントを裏蓋側から見た要部平面図である。
【図１０】本発明を適用した第二の実施形態示すクロノ計測機能付き電子時計の時計ムーブメント３０の、分クロノグラフ車４周辺の要部断面図である。
【図１１】本発明のクロノ計測機能付き電子時計の時計ムーブメントを裏蓋側から見た要部平面図である。
【符号の説明】
【００６９】
１  地板
１ａ  帰零レバー軸
１ｂ  復針レバー軸
２ａ  プッシュボタン（２時位置）
２ｂ  プッシュボタン（４時位置）
３  秒クロノグラフ車
３ａ  秒クロノグラフ針
４  分クロノグラフ車
４ａ  分クロノグラフ車軸
４ｂ  ハートカム
４ｃ  分クロノグラフ歯車
４ｄ  分クロノグラフ針
５  クロノグラフ中間車
６  輪列受
６ａ  輪列受穴
７  回路基板
８  帰零レバー
８ａ  帰零レバー先端部
８ｂ  帰零レバーピン
８ｃ  帰零レバー力点
８ｄ  帰零レバー先端凸部
９  復針レバー
９ａ  復針レバーピン
９ｂ  復針レバー力点
１０  クロノグラフ押え
１０ａ  クロノグラフ押え接点部
１０ｂ  クロノグラフ押え接点部
１０ｃ  クロノグラフ押え節度バネ部
１１ａ  クロノグラフ停止時の平面隙
１１ｂ  クロノグラフ作動時の平面隙
１２  回路支持台
１２ａ  ハートカム回転規制部
１６  規制ピン
１６ｂ  ハートカム回転規制部
１８  帰零レバー
１８ａ  帰零レバー先端部
１８ｂ  帰零レバーピン
１８ｃ  帰零レバー力点
２０  時計ムーブメント
３０  時計ムーブメント
４０  逆転方向
９０  クロノグラフ停止時の復針レバー位置
９１  クロノグラフ作動時の帰零レバー位置
１００  時計ムーブメント
１７０  クロノ信号発生手段
１８０  クロノグラフ停止時の帰零レバー位置
１８１  クロノグラフ作動時の帰零レバー位置
１９０  クロノ制御手段
２００  クロノ駆動手段
２１０  クロノ表示手段
２２０  カウンター回路
２３０  最大表示状態判別手段
５００  第１スイッチ手段
５１０  第２スイッチ手段
５３０  クロノリセット手段
【図１】
2005300378.tif 000003
【図２】
2005300378.tif 000004
【図３】
2005300378.tif 000005
【図４】
2005300378.tif 000006
【図５】
2005300378.tif 000007
【図６】
2005300378.tif 000008
【図７】
2005300378.tif 000009
【図８】
2005300378.tif 000010
【図９】
2005300378.tif 000011
【図１０】
2005300378.tif 000012
【図１１】
2005300378.tif 000013